(57)【要約】直下型の照明装置において、反射シートの浮きを防止ないし抑制できる技術を提供する。本発明に係る直下型のバックライト装置は、ＬＥＤ基板３０と、ＬＥＤ基板３０の表面に配されたＬＥＤ光源２８と、ＬＥＤ基板３０の表面側に配され、貫通孔２７を有する反射シート２６とを備えている。ＬＥＤ光源２８は、反射シート２６の貫通孔２７を貫通している。反射シート２６は、貫通孔２７の縁部２７ａの一部２６ａがＬＥＤ光源２８の出光面２８ａとＬＥＤ基板３０との間に収容されるように配されている。
2011152134.tif 000002
【特許請求の範囲】
【請求項１】
光源基板と、
該光源基板の第１主面に配された光源と、
前記光源基板の第１主面側に配され、貫通孔を有する反射シートと、
前記光源基板の第２主面と対向する底板を有し、前記光源基板と前記光源と前記反射シートとを収容する収容部材と、を備え、
前記光源は、前記反射シートの前記貫通孔を貫通しており、
前記反射シートは、前記貫通孔の縁部の一部が前記光源の出光面と前記光源基板との間に収容されるように配されていることを特徴とする照明装置。
【請求項２】
前記光源と前記光源基板との間に配され、前記光源を支持する支持部材をさらに備え、
前記貫通孔の縁部の一部は、前記支持部材の側方に配されることを特徴とする請求項１に記載の照明装置。
【請求項３】
前記支持部材は、前記光源の中央側に設けられていることを特徴とする請求項２に記載の照明装置。
【請求項４】
前記貫通孔の縁部の一部は、前記光源と前記光源基板との間に挟持されていることを特徴とする請求項２又は請求項３に記載の照明装置。
【請求項５】
前記光源は、その側面の一部に該側面の水平方向に沿って設けられた切り欠きを有し、
前記貫通孔の縁部の一部は、前記光源の前記切り欠きに収容されていることを特徴とする請求項１に記載の照明装置。
【請求項６】
前記切り欠きは、前記光源の側面の下側に設けられていることを特徴とする請求項５に記載の照明装置。
【請求項７】
前記貫通孔の縁部の一部は、前記光源の前記切り欠きによって前記光源の高さ方向に挟持されていることを特徴とする請求項５又は請求項６に記載の照明装置。
【請求項８】
請求項１から請求項７のいずれか１項に記載の照明装置からの光を利用して表示を行う表示パネルを備えることを特徴とする表示装置。
【請求項９】
前記表示パネルが液晶を用いた液晶パネルであることを特徴とする請求項８に記載の表示装置。
【請求項１０】
請求項８又は請求項９に記載の表示装置を備えることを特徴とするテレビ受信装置。
【発明の詳細な説明】
【技術分野】
【０００１】
本発明は、照明装置、表示装置及びテレビ受信装置に関する。
【背景技術】
【０００２】
近年、テレビ受信装置をはじめとする画像表示装置の表示素子は、従来のブラウン管から液晶パネルやプラズマディスプレイパネルなどの薄型表示素子を適用した薄型表示装置に移行しつつあり、画像表示装置の薄型化を可能としている。液晶表示装置は、これに用いる液晶パネルが自発光しないため、別途に照明装置としてバックライト装置を必要としている。【０００３】
バックライト装置として、液晶パネルに対してその背面から光を直接供給する直下型のバックライト装置が知られている。このようなバックライト装置では、ＬＥＤ等の光源が配された基板上に反射シートが配されることがある。【０００４】
特許文献１に、ＬＥＤ光源が配された基板上に反射シートが配された直下型のバックライト装置が開示されている。このバックライト装置は、ＬＥＤ光源と、複数のＬＥＤ光源が配された基板と、ＬＥＤ光源の出光面側に対向して配される拡散板と、基板上に配された複数のスペーサと、基板上に載置される反射シートとを備えている。反射シートには、複数の貫通孔が設けられており、基板上に配された光源とスペーサは貫通孔を貫通している。このバックライト装置では、複数のスペーサによって基板と拡散板との間の距離を一定に保つことにより、バックライト装置の表示面の輝度ムラを防止ないし抑制することができる。
【先行技術文献】
【特許文献】
【０００５】
【特許文献１】特開２０１０−１５８５３号公報
【０００６】
（発明が解決しようとする課題）
しかしながら、特許文献１に記載のバックライト装置では、ＬＥＤ光源の近傍に発生する熱や反射シートの位置ずれ等によって反射シートの一部に浮きが生じる場合がある。この場合、ＬＥＤ光源からの光が反射シートによって遮蔽され、バックライト装置の表示性能が低下する虞がある。
【発明の概要】
【０００７】
本発明は、上記の課題に鑑みて創作されたものである。本発明は、直下型の照明装置において、反射シートの浮きを防止ないし抑制できる技術を提供することを目的とする。
【０００８】
（課題を解決するための手段）
本明細書で開示される技術は、光源基板と、該光源基板の第１主面に配された光源と、前記光源基板の第１主面側に配され、貫通孔を有する反射シートと、前記光源基板の第２主面と対向する底板を有し、前記光源基板と前記光源と前記反射シートとを収容する収容部材と、を備え、前記光源は、前記反射シートの前記貫通孔を貫通しており、前記反射シートは、前記貫通孔の縁部の一部が前記光源の出光面と前記光源基板との間に収容されるように配されている照明装置に関する。
【０００９】
上記の照明装置によると、貫通孔の縁部の一部が光源の出光面と光源基板との間に収容されることにより、貫通孔の縁部の一部が光源の出光面と光源基板との間に係止される。これにより、反射シートの浮きを防止ないし抑制することができる。
【００１０】
前記光源と前記光源基板との間に配され、前記光源を支持する支持部材をさらに備え、前記貫通孔の縁部の一部は、前記支持部材の側方に配されてもよい。
この構成によると、光源と光源基板との間に支持部材が配されることにより、支持部材の側方であって光源と光源基板との間に、貫通孔の縁部の一部が収容される隙間を設けることができる。この隙間に貫通孔の縁部の一部が収容されて係止されることにより、反射シートの浮きを防止ないし抑制することができる。
【００１１】
前記支持部材は、前記光源の中央側に設けられていてもよい。
この構成によると、貫通孔の縁部の一部を光源と光源基板との間に設けられた隙間の奥側まで収容することができる。これにより、貫通孔の縁部の一部が光源と光源基板との間の隙間から外れ難くなるため、反射シートの浮きを効果的に防止ないし抑制することができる。
【００１２】
前記貫通孔の縁部の一部は、前記光源と前記光源基板との間に挟持されていてもよい。
この構成によると、貫通孔の縁部の一部が鉛直方向に挟持されるため、反射シートの浮きを一層防止ないし抑制することができる。
【００１３】
前記光源は、その側面の一部に該側面の水平方向に沿って設けられた切り欠きを有し、前記貫通孔の縁部の一部は、前記光源の前記切り欠きに収容されていてもよい。
この構成によると、光源の側面の一部に切り欠きが設けられることにより、光源の側面の一部に貫通孔の縁部の一部が収容される空間を設けることができる。これにより、反射シートの浮きを防止ないし抑制することができる。
【００１４】
前記切り欠きは、前記光源の側面の下側に設けられていてもよい。
この構成によると、切り欠きに収容される反射シートの一部は、その一方の面が光源基板と当接した状態で収容されるため、切り欠きに収容される反射シートの一部が光源基板から浮き上がることが抑制される。このため、反射シートの浮きを効果的に防止ないし抑制することができる。
【００１５】
前記貫通孔の縁部の一部は、前記光源の前記切り欠きによって前記光源の高さ方向に挟持されていてもよい。
この構成によると、貫通孔の縁部の一部が鉛直方向に挟持されるため、反射シートの浮きを一層防止ないし抑制することができる。
【００１６】
本明細書で開示される技術は、上記の照明装置からの光を利用して表示を行う表示パネルと、を備える表示装置として表現することもできる。また、当該表示パネルを、液晶を用いた液晶パネルとする表示装置も、新規で有用である。また、上記の表示装置を備えるテレビ受信装置も、新規で有用である。上記の表示装置およびテレビによると、表示領域の大面積化を実現することが可能となる。
【００１７】
（発明の効果）
本明細書で開示される技術によれば、直下型の照明装置において、反射シートの浮きを防止ないし抑制できる技術を提供することができる。
【図面の簡単な説明】
【００１８】
【図１】実施形態１に係るテレビ受信装置ＴＶの分解斜視図を示す。
【図２】液晶表示装置１０の分解斜視図を示す。
【図３】液晶表示装置１０の断面図を示す。
【図４】反射シート２６とＬＥＤ光源２８の平面図を示す。
【図５】ＬＥＤ基板３０の表側に配された反射シート２６とＬＥＤ光源２８の断面図を示す。
【図６】実施形態２に係るＬＥＤ基板１３０の表側に配された反射シート１２６とＬＥＤ光源１２８の断面図を示す。
【図７】実施形態３に係るＬＥＤ基板２３０の表側に配された反射シート２２６とＬＥＤ光源２２８の断面図を示す。
【図８】実施形態４に係るＬＥＤ基板３３０の表側に配された反射シート３２６とＬＥＤ光源３２８の断面図を示す。
【発明を実施するための形態】
【００１９】
＜実施形態１＞
図面を参照して実施形態１を説明する。なお、各図面の一部にはＸ軸、Ｙ軸およびＺ軸を示しており、各軸方向が各図面で共通した方向となるように描かれている。このうちＹ軸方向は、鉛直方向と一致し、Ｘ軸方向は、水平方向と一致している。
【００２０】
図１は、第１実施例に係るテレビ受信装置ＴＶの分解斜視図を示している。図１に示すように、テレビ受信装置ＴＶは、液晶表示装置１０と、当該液晶表示装置１０を挟むようにして収容する表裏両キャビネットＣａ、Ｃｂと、電源Ｐと、チューナーＴと、スタンドＳと、を備えている。液晶表示装置１０は、全体として横長の方形を成し、縦置き状態で収容されている。
【００２１】
図２は、液晶表示装置１０の分解斜視図を示している。図３は、液晶表示装置１０の鉛直方向の断面図を示している。ここで、図２及び図３に示す上側を表側とし、同図下側を裏側とする。図２に示すように、液晶表示装置１０は、表示パネルである液晶パネル１６と、外部光源であるバックライト装置２４とを備え、これらが枠状をなすベゼル１２などにより一体的に保持されるようになっている。
【００２２】
続いて、液晶表示装置１０を構成する液晶パネル１６及びバックライト装置２４について説明する。液晶パネル１６は、透明な（高い透光性を有する）一対のガラス基板が所定のギャップを隔てた状態で貼り合わせられるとともに、両ガラス基板間に液晶層（図示しない）が封入された構成とされる。一方のガラス基板には、互いに直交するソース配線とゲート配線とに接続されたスイッチング素子（例えばＴＦＴ）と、そのスイッチング素子に接続された画素電極、さらには配向膜等が設けられ、他方のガラス基板には、Ｒ（赤色），Ｇ（緑色），Ｂ（青色）等の各着色部が所定配列で配置されたカラーフィルタや対向電極、さらには配向膜等が設けられている。このうち、ソース配線、ゲート配線および対向電極などには、図示しない駆動回路基板から画像を表示するのに必要な画像データや各種制御信号が供給されるようになっている。なお、両ガラス基板の外側には偏光板（図示しない）が配されている。
【００２３】
バックライト装置２４は、図２に示すように、バックライトシャーシ２２と、光学部材１８（拡散板１８ａと、拡散板１８ａの表側に配される複数の光学シート１８ｂ）と、フレーム１４とを備えている。バックライトシャーシ２２は、表側（光出射側、液晶パネル１６側）に開口した略箱型をなしている。光学部材１８は、バックライトシャーシ２２の表側に、バックライトシャーシ２２の開口を覆うようにして配されている。フレーム１４は、バックライトシャーシ２２の長辺に沿って配され、光学部材１８の長辺縁部をバックライトシャーシ２２との間に挟んで保持している。
【００２４】
バックライトシャーシ２２内には、点状の複数のＬＥＤ（Light Emitting Diode）光源２８が配されたＬＥＤ基板３０と、外縁部材２０とが収容されている。外縁部材２０は、バックライトシャーシ２２の短辺縁部に配されており、ＬＥＤ光源２８からの光を内側に指向する。なお、バックライト装置２４は、ＬＥＤ基板３０よりも拡散板１８ａ側が光出射側となっており、液晶パネル１６に対してその裏側から拡散板１８ａを介して直接光が供給される直下型のバックライト装置である。
【００２５】
バックライトシャーシ２２は、例えばアルミ系材料などの金属製とされ、平面視で矩形状を成す底板２２ａと、底板２２ａの両長辺から立ち上がり略Ｕ字状に折り返された長辺側外縁２２ｂと、底板２２ａの両短辺から立ち上がり略Ｕ字状に折り返された短辺側外縁２２ｃとから成る浅い略箱型に板金成形されている。さらに、バックライトシャーシ２２の長辺側外縁２２ｂの上面には、図３に示すように、固定孔２２ｄが穿設されており、例えば、ベゼル１２、フレーム１４、及びバックライトシャーシ２２等を一体化することが可能とされている。
【００２６】
バックライトシャーシ２２の底板２２ａの表側には、樹脂製のＬＥＤ基板３０が敷設されている。ＬＥＤ基板３０の表側には、反射シート２６が敷設されている。さらに、ＬＥＤ基板３０の表側には、整列配置された複数のＬＥＤ光源２８が設けられている。反射シート２６の表側には複数の貫通孔２７（図４、図５参照）が設けられ、ＬＥＤ光源２８は反射シート２６の貫通孔２７を貫通して表側に露出している。なお、バックライトシャーシ２２の底板２２ａの裏側には、ＬＥＤ光源２８に駆動電力を供給する電源回路基板２５が取り付けられている。
【００２７】
ＬＥＤ光源２８は、白色発光するものであり、例えば赤色、緑色、青色の３種類のＬＥＤチップ（図示しない）が面実装された構成としてもよく、あるいは、青色発光素子に、黄色の領域に発光ピークを持つ蛍光体を塗布することにより白色発光するものとしたものであってもよい。また、青色発光素子に、緑色と赤色の領域にそれぞれ発光ピークを持つ蛍光体を塗布することにより白色発光するものとしたものであってもよい。また、青色発光素子に、緑色の領域に発光ピークを持つ蛍光体を塗布すると共に、赤色発光素子を組み合わせることにより白色発光するものとしたものであってもよい。また、ＬＥＤ光源２８は、青色発光素子と、緑色発光素子と、赤色発光素子と、を組み合わせることにより白色発光するものとしたものであってもよい。また、紫外光発光素子と、蛍光体と、を組み合わせたものであってもよい。特に、紫外光発光素子に、青色と緑色と赤色にそれぞれ発光ピークを持つ蛍光体を塗布することにより白色発光するものとしたものであってもよい。
【００２８】
反射シート２６は、合成樹脂製とされ、その表面が光反射性に優れた白色とされており、バックライトシャーシ２２の底板２２ａの内面に沿ってそのほぼ全域を覆うように敷かれている。そして、ＬＥＤ光源２８から出射された光を拡散板１８ａ側に反射させることが可能となっている。
【００２９】
光学部材１８を構成する拡散板１８ａは、合成樹脂製の板状部材に光散乱粒子が分散配合されてなり、点状の光源であるＬＥＤ光源２８から出射される点状の光を拡散する機能を有すると共に、ＬＥＤ光源２８の出射光を反射する光反射機能も併用している。また、拡散板１８ａの表側に配される光学シート１８ｂは、拡散板１８ａ側から順に、拡散シート、レンズシート、反射型偏光板が積層されたものであり、ＬＥＤ光源２８から出射され、拡散板１８ａを通過した光を面状の光とする機能を有する。光学シート１８の表側には液晶パネル１６が設置され、この光学シート１８ｂは拡散板１８ａと液晶パネル１６とにより挟持されている。
【００３０】
続いて、ＬＥＤ光源２８の構成及び反射シート２６の構成について説明する。図４は、反射シート２６とＬＥＤ光源２８を表側から視た平面図を示している。図５は、ＬＥＤ基板３０の表側に配された反射シート２６とＬＥＤ光源２８を拡大した断面図であって、反射シート２６とＬＥＤ光源２８を、ＬＥＤ光源２８の中心を通るＹ−Ｚ平面で切ったときの断面構成を示している。
【００３１】
ＬＥＤ光源２８は、図４に示すように、平面視において矩形状を成し、その表面が出光面２８ａとなっている。ＬＥＤ光源２８の中心部近傍には、平板状の２つの脚部３１ａ、３１ｂがＬＥＤ光源２８の裏側から突設されている。２つの脚部３１ａ、３１ｂは、その板面が鉛直方向（Ｙ軸方向）に沿って互いに平行となるように配置されており、ＬＥＤ基板３０の表面に接着されている。ＬＥＤ光源２８は、脚部３１ａ、３１ｂによってＬＥＤ基板３０の表面に支持されている（図５参照）。この脚部３１ａ、３１ｂによって、脚部３１ａ、３１ｂの側方であってＬＥＤ光源２８とＬＥＤ基板３０との間に隙間が設けられている。
【００３２】
反射シート２６には、ＬＥＤ基板３０の表面に載置される際に各ＬＥＤ光源２８と対応する位置に、複数の貫通孔２７が設けられている。貫通孔２７は、ＬＥＤ光源２８の外縁より一回り大きな方形を成しており、ＬＥＤ光源２８が貫通するように形成されている。
【００３３】
反射シート２６に設けられた貫通孔２７の縁部２７ａの一部２６ａであって方形状の貫通孔２７の一辺側（以下、反射シート２６の一部２６ａと称する）は、図４及び図５に示すように、ＬＥＤ光源２８の出光面２８ａとＬＥＤ基板３０との間に収容されており、ＬＥＤ光源２８の脚部３１ａ、３１ｂの側方に位置している。
【００３４】
さて、反射シート２６をＬＥＤ基板３０の表面に敷設する場合、まず、ＬＥＤ光源２８とレンズ部材３２が実装されたＬＥＤ基板３０に対し、貫通孔２７の位置とレンズ部材３２との位置が対応するように位置決めする。
【００３５】
この状態で反射シート２６を下し（ＬＥＤ基板３０に近づけ）、ＬＥＤ光源２８を貫通孔２７に貫通させて反射シート２６をＬＥＤ基板３０の表面に敷設する。次に、反射シート２６を水平方向（Ｘ軸方向）にわずかにずらし、反射シート２６の一部２６ａをＬＥＤ光源２８とＬＥＤ基板３０の間に設けられた隙間に収容する。これにより、反射シート２６の一部２６ａがＬＥＤ光源２８とＬＥＤ基板３０との間に係止され、反射シート２６の浮きを防止ないし抑制することができる。
【００３６】
以上のように本実施形態に係るバックライト装置２４では、反射シート２６の一部２６ａがＬＥＤ光源２８の出光面２８ａとＬＥＤ基板３０との間に収容されることにより、反射シート２６の一部２６ａがＬＥＤ光源２８の出光面２８ａとＬＥＤ基板３０との間に係止される。これにより、反射シート２６の浮きを防止ないし抑制することができる。
【００３７】
また、本実施形態に係るバックライト装置２４は、ＬＥＤ光源２８とＬＥＤ基板３０との間に、ＬＥＤ光源２８を支持する脚部３１ａ、３１ｂが設けられており、反射シート２６の一部２６ａが、脚部３１ａ、３１ｂの側方に配されている。このため、脚部３１ａ、３１ｂの側方であってＬＥＤ光源２８とＬＥＤ基板３０との間に、反射シート２６の一部２６ａが収容される隙間を設けることができる。この隙間に反射シート２６の一部２６ａが収容されて係止されることにより、反射シート２６の浮きを防止ないし抑制することができる。
【００３８】
また、本実施形態に係るバックライト装置２４では、脚部３１ａ、３１ｂが、ＬＥＤ光源２８の中央側に設けられている。このため、反射シート２６の一部２６ａをＬＥＤ光源２８とＬＥＤ基板３０との間に設けられた隙間の奥側まで収容することができる。これにより、反射シート２６の一部２６ａがＬＥＤ光源２８とＬＥＤ基板３０との間の隙間から外れ難くなるため、反射シート２６の浮きを効果的に防止ないし抑制することができる。
【００３９】
＜実施形態２＞
図面を参照して実施形態２を説明する。図６は、実施形態２に係るＬＥＤ基板１３０の表側に配された反射シート１２６とＬＥＤ光源１２８の断面図であって、実施形態１における図５と対応する図を示している。実施形態２は、ＬＥＤ光源１２８の脚部１３１ａ、１３１ｂの高さが実施形態１のものと異なっている。その他の構成については実施形態１と同じであるため、構造、作用、および効果の説明は省略する。なお、図６において、図５の参照符号に数字１００を加えた部位は、実施形態１で説明した部位と同一である。
【００４０】
実施形態２に係るバックライト装置では、ＬＥＤ光源１２８の脚部１３１ａ、１３１ｂが、反射シート１２６の厚みとほぼ同じ高さとなるように設けられている。このため、ＬＥＤ光源１２８とＬＥＤ基板１３０との間の隙間に収容された反射シート１２６の一部１２６ａは、その表面がＬＥＤ光源１２８の裏面と当接し、その裏面がＬＥＤ基板１３０の表面と当接した状態となっている。これにより、反射シート１２６の一部１２６ａがＬＥＤ光源１２８の高さ方向（Ｚ軸方向）に挟持され、反射シート１２６の浮きを一層防止ないし抑制することができる。
【００４１】
＜実施形態３＞
図面を参照して実施形態３を説明する。図７は、実施形態３に係るＬＥＤ基板２３０の表側に配された反射シート２２６とＬＥＤ光源２２８の断面図であって、実施形態１における図５と対応する図を示している。実施形態２は、ＬＥＤ光源２２８に脚部が設けられておらず、ＬＥＤ光源の側面に切り欠き２２８ｂが設けられている点で実施形態１と異なっている。その他の構成については実施形態１と同じであるため、構造、作用、および効果の説明は省略する。なお、図７において、図５の参照符号に数字２００を加えた部位は、実施形態１で説明した部位と同一である。
【００４２】
実施形態３に係るバックライト装置では、ＬＥＤ光源２２８に脚部が設けられておらず、ＬＥＤ光源２２８がＬＥＤ基板２３０の表面に直接実装されている。また、ＬＥＤ光源２２８の側面には、この側面の水平方向（本実施形態ではバックライト装置の鉛直方向（Ｙ軸方向）に相当する）に沿って切り欠き２２８ｂが形成されている。切り欠き２２８ｂは、ＬＥＤ光源２２８の側面の下側に形成され、反射シート２２６の厚みとほぼ同じ幅で形成されている。この切り欠き２２８ｂにより、ＬＥＤ光源２２８の出光面とＬＥＤ基板２３０との間に、反射シート２２６の一部２２６ａを収容可能な隙間が設けられている。
【００４３】
実施形態３に係るバックライト装置では、反射シート２２６の貫通孔２２７にＬＥＤ光源２２８を貫通させて反射シート２２６をＬＥＤ基板２３０の表面に敷設した後、反射シート２２６の位置をわずかにずらすことにより、反射シート２２６の一部２２６ａをＬＥＤ光源２２８の側面に形成された切り欠き２２８ｂに収容することができる。そして、この状態では、切り欠き２２８ｂに収容された反射シート２２６の一部２２６ａは、その表面が切り欠き２２８ｂの上面と当接し、その裏面がＬＥＤ光源２２８の表面と当接している。これにより、反射シート２２６の一部２２６ａがＬＥＤ光源２２８の高さ方向に挟持され、反射シート２２６の浮きを一層防止ないし抑制することができる。
【００４４】
また、実施形態３に係るバックライト装置では、切り欠き２２８ｂがＬＥＤ光源２２８の側面の下側に設けられていることにより、切り欠き２２８ｂに収容された反射シート２２６の一部は、その裏面がＬＥＤ基板２２８の表面と当接した状態で収容されている。このため、切り欠き２２８ｂに収容された反射シート２２６の一部がＬＥＤ基板２２８の表面から浮き上がることが抑制され、反射シート２２６の浮きを効果的に防止ないし抑制することができる。
【００４５】
＜実施形態４＞
図面を参照して実施形態４を説明する。図８は、実施形態４に係るＬＥＤ基板３３０の表側に配された反射シート３２６とＬＥＤ光源３２８の断面図であって、実施形態３における図７と対応する図を示している。実施形態４は、切り欠き３２８ｂの配置が実施形態３のものと異なっている。その他の構成については実施形態３と同じであるため、構造、作用、および効果の説明は省略する。なお、図８において、図７の参照符号に数字１００を加えた部位は、実施形態３で説明した部位と同一である。
【００４６】
実施形態４に係るバックライト装置では、ＬＥＤ光源３２８の側面に切り欠き３２８ｂが形成されている。この切り欠き３２８ｂは、ＬＥＤ光源３２８の高さ方向略中央に形成されており、反射シート３２６の厚みとほぼ同じ幅で形成されている。そして、反射シート３２６をＬＥＤ基板３３０の表面に載置した後、反射シート３２６の位置をわずかにずらすことにより、反射シート３２６の一部３２６ａをＬＥＤ光源３２８の側面に形成された切り欠き３２８ｂに収容することができる。この状態では、切り欠き３２８ｂに収容された反射シート３２６の一部３２６ａがＬＥＤ基板３３０からわずかに浮いた状態となっている。また、切り欠き３２８ｂに収容された反射シート３２６の一部３２６ａは、その表面が切り欠き３２８ｂの上面と当接し、その裏面が切り欠き３２８ｂの下面と当接している。これにより、反射シート３２６の一部３２６ａがＬＥＤ光源３２８の高さ方向に挟持され、反射シート３２６の浮きを一層防止ないし抑制することができる。
【００４７】
各実施形態の構成と本発明の構成との対応関係を記載しておく。ＬＥＤ基板３０、１３０、２３０、３３０が「光源基板」の一例である。また、ＬＥＤ光源２８、１２８、２２８、３２８が「光源」の一例である。また、バックライトシャーシ２２が「収容部材」の一例である。また、バックライト装置２４が「照明装置」の一例である。また、脚部３１ａ、３１ｂ、１３１ａ、１３１ｂが「支持部材」の一例である。
【００４８】
上記の各実施形態の変形例を以下に列挙する。
（１）上記の各実施形態では、貫通孔の一辺側がＬＥＤ光源の出光面とＬＥＤ基板との間に収容される構成を採用したが、ＬＥＤ光源の出光面とＬＥＤ基板との間に収容される反射シートの一部の範囲は限定されない。例えば、方形状の貫通孔の二辺がＥＤ光源の出光面とＬＥＤ基板との間に収容される構成を採用してもよい。ＬＥＤ光源の出光面とＬＥＤ基板との間に収容される反射シートの一部の範囲が大きくなるにつれ、反射シートの浮きを一層防止ないし抑制することができる。
【００４９】
（２）上記の各実施形態では、ＬＥＤ基板の表面にスペーサが設けられていない構成を採用したが、ＬＥＤ基板の表面にスペーサを設け、貫通孔にスペーサを貫通させることにより、このスペーサによってＬＥＤ基板と拡散板との間の距離を規制される構成を採用してもよい。
【００５０】
（３）上記の各実施形態では、ＬＥＤ光源の形状が矩形状である構成を採用したが、ＬＥＤ光源の形状は限定されない。例えばＬＥＤ光源の形状が円形状である構成を採用してもよい。
【００５１】
（４）上記の各実施形態以外にも、ＬＥＤ光源に設けられた脚部の配置、形態、数等については適宜に変更可能である。
【００５２】
（５）上記の各実施形態以外にも、ＬＥＤ光源に形成された切り欠きの配置等については適宜に変更可能である。
【００５３】
（６）上記の各実施形態では、表示パネルとして液晶パネルを用いた液晶表示装置を例示したが、他の種類の表示パネルを用いた表示装置にも本発明は適用可能である。
【００５４】
（７）上記の各実施形態では、チューナーを備えたテレビ受信装置を例示したが、チューナーを備えない表示装置にも本発明は適用可能である。
【００５５】
以上、本発明の実施形態について詳細に説明したが、これらは例示に過ぎず、特許請求の範囲を限定するものではない。特許請求の範囲に記載の技術には、以上に例示した具体例を様々に変形、変更したものが含まれる。
【００５６】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００５７】
ＴＶ：テレビ受信装置、Ｃａ、Ｃｂ：キャビネット、Ｔ：チューナー、Ｓ：スタンド、１０：液晶表示装置、１２：ベゼル、１４：フレーム、１６：液晶パネル、１８光学部材、１８ａ：拡散板、１８ｂ：光学シート、２０：外縁部材、２２：バックライトシャーシ、２２ａ：底板、２２ｂ：長辺側外縁、２２ｃ：短辺側外縁、２２ｄ：固定孔、２４：バックライト装置、２５：電源回路基板、２６、１２６、２２６、３２６：反射シート、２７、１２７、２２７、３２７：貫通孔、２８、１２８、２２８、３２８：ＬＥＤ光源、２８ａ、１２８ａ、２２８ａ、３２８ａ：出光面、３０、１３０、２３０、３３０：ＬＥＤ基板、３１ａ、３１ｂ、１３１ａ、１３１ｂ：脚部、２２８ｂ、３２８ｂ：切り欠き
【図１】
2011152134.tif 000003
【図２】
2011152134.tif 000004
【図３】
2011152134.tif 000005
【図４】
2011152134.tif 000006
【図５】
2011152134.tif 000007
【図６】
2011152134.tif 000008
【図７】
2011152134.tif 000009
【図８】
2011152134.tif 000010
【手続補正書】
【提出日】平成24年11月8日(2012.11.8)
【手続補正１】
【補正対象書類名】特許請求の範囲
【補正対象項目名】全文
【補正方法】変更
【補正の内容】
【特許請求の範囲】
【請求項１】
光源基板と、
該光源基板の第１主面に配された光源と、
前記光源基板の第１主面側に配され、貫通孔を有する反射シートと、
前記光源基板の第２主面と対向する底板を有し、前記光源基板と前記光源と前記反射シートとを収容する収容部材と、を備え、
前記光源は、前記反射シートの前記貫通孔を貫通しており、
前記反射シートは、前記貫通孔の縁部の一部が前記光源の出光面と前記光源基板との間に収容されるように配されており、
前記光源と前記光源基板との間に配され、前記光源を支持する支持部材をさらに備え、
前記貫通孔の縁部の一部は、前記支持部材の側方に配され、前記光源と前記光源基板との間に挟持されていることを特徴とする照明装置。
【請求項２】
前記支持部材は、前記光源の中央側に設けられていることを特徴とする請求項１に記載の照明装置。
【請求項３】
請求項１又は請求項２に記載の照明装置からの光を利用して表示を行う表示パネルを備えることを特徴とする表示装置。
【請求項４】
前記表示パネルが液晶を用いた液晶パネルであることを特徴とする請求項３に記載の表示装置。
【請求項５】
請求項３又は請求項４に記載の表示装置を備えることを特徴とするテレビ受信装置。
【国際調査報告】
2011152134.tif 000011
2011152134.tif 000012
2011152134.tif 000013